(57)【要約】【課題】綴具の綴杆の頂部を手で操作することにより、比較的容易に開閉することができる綴具を提供する。【解決手段】この綴具は、綴杆１２，１４を間隔をおいて設けることができる長さを備えた保持部材１６と、その表面に固定された綴杆１２，１４が前記保持部材１６に固定されるように保持部材１６の内側に可動自在に固定された作動部材１８とを備えた、綴具であって、前記作動部材１８は、保持部材１６内で保持部材１６の長手方向に移動する一対の作動片３０，３２と、前記一対の作動片３０，３２の突き合わせ縁３０ａ，３０ｂに形成された枢軸３８とを有し、前記綴杆１２，１４を開くときに、前記作動片３０，３２を保持部材１６内で保持部材１６の長手方向に移動させるとともに、前記枢軸３８で一対の作動片３０，３２を回動させて綴杆１２，１４を開く方向に変化させる開閉部材４０が設けられたものである。【選択図】      図７
2005040952.tif 000002
【特許請求の範囲】
【請求項１】
綴杆と、
前記綴杆を間隔をおいて設けることができる長さを備えた保持部材と、
各綴杆がその基部において間隔をおいてその表面に固定され、該綴杆が前記保持部材に固定されるように保持部材の内側に可動自在に固定された作動部材とを備えた、綴具であって、
前記作動部材は、保持部材内で保持部材の長手方向に移動する一対の作動片と、前記一対の作動片の突き合わせ縁に形成された枢軸部とを有し、
一方の作動片には綴杆の一方の基部が固定され、他方の作動片には該綴杆の他方の基部が固定され、
前記綴杆を開くときに、前記作動片を保持部材内で保持部材の長手方向に移動させるとともに、前記枢軸部で一対の作動片を回動させて綴杆を開く方向に変化させる開閉部材が設けられた、綴具。
【請求項２】
一方の作動片の突き合わせ縁には、適宜な間隔をおいて円筒状摺動部が形成され、且つ他方の作動片の突き合わせ縁には、前記一方の作動片の円筒状摺動部の間に遊嵌される円筒状摺動部が形成されるとともに、前記円筒状摺動部間には枢軸が挿通された、請求項１に記載の綴具。
【請求項３】
前記作動片の円筒状摺動部間に形成された空隙部に、開閉部材が設けられた、請求項１または２に記載の綴具。
【請求項４】
前記作動部材の円筒状摺動部間に、開閉部材が設けられる空隙部が形成され、
前記空隙部には、一方の作動片の円筒状摺動部の内端が臨み、且つ前記内端と対向して他方の作動片の円筒状摺動部の内端が臨むように形成された、請求項１ないし３のいずれかに記載の綴具。
【請求項５】
一方の作動片の突き合わせ縁には、枢軸片が形成され、且つ他方の作動片の突き合わせ縁には、前記一方の作動片の枢軸片と重ねられる枢軸片が形成されるとともに、前記枢軸片間には枢軸が挿通された、請求項１に記載の綴具。
【請求項６】
前記作動片の突き合わせ縁に、開閉部材が設けられる空隙部が形成され、
前記空隙部には、一方の作動片の空隙部側の内端が臨み、且つ前記内端と対向して他方の作動片の空隙部側の内端が臨むように形成された、請求項１または５に記載の綴具。
【請求項７】
前記開閉部材は、弾性部材からなり、
前記弾性部材は、
前記作動部材を構成する一対の作動片の間において、一対の作動片をそれぞれ逆方向に移動させるとともに、
綴杆の開閉状態を保持させる方向に、一対の作動片を弾発するように設けられた、請求項１ないし６のいずれかに記載の綴具。
【請求項８】
前記弾性部材は、コイルバネからなり、
前記コイルバネは、作動部材の枢軸に巻装され、
前記コイルバネの一端は作動部材の一方の作動片を押圧し且つその他端は作動部材の他方の作動片を押圧するように、一方の作動片の円筒状摺動部と接するとともに他方の作動片の円筒状摺動部と接するように設けられた、請求項１，２，３，４，７のいずれかに記載の綴具。
【請求項９】
前記弾性部材は、コイルバネからなり、
前記コイルバネは、枢軸部に巻装され、
前記コイルバネの一端は作動部材の一方の作動片を押圧し且つその他端は作動部材の他方の作動片を押圧するように、一方の作動片の空隙部側内端と接するとともに他方の作動片の空隙部側内端と接するように設けられた、請求項１，５，６，７のいずれかに記載の綴具。
【請求項１０】
保持部材は、作動部材が内装される保持壁の内側面に移動規制部が形成され、
保持部材の保持壁側に延びる開閉部材の係止部は、
保持部材に内装される作動部材及び作動部材の作動のための開閉部材の保持部材内の移動を規制するために、作動片の係止部に係止されるとともに、保持部材の移動規制部に当接されるように形成された、請求項１ないし９のいずれかに記載の綴具。
【請求項１１】
綴杆と、
前記綴杆を間隔をおいて設けることができる長さを備えた保持部材と、
各綴杆がその基部において間隔をおいてその表面に固定され、該綴杆が前記保持部材に固定されるように保持部材の内側に可動自在に固定された作動部材とを備えた、綴具の製造方法であって、
前記作動部材を構成する、一方の作動片には綴杆の一方の基部が固定され、他方の作動片には該綴杆の他方の基部が固定された一対の作動片を、保持部材内で保持部材の長手方向に移動することができるように、保持部材内に並設する、作動片を並設するステップと、
前記一対の作動片の突き合わせ縁に形成された枢軸部に、保持部材の長手中心線上において穿設された枢軸貫挿孔より枢軸を挿通する、枢軸を挿通するステップと、
前記綴杆を開くときに、前記作動片を保持部材内で保持部材の長手方向に移動させるとともに、前記枢軸部で一対の作動片を回動させて綴杆を開く方向に変化させる開閉部材を枢軸部に固定する、開閉部材を固定するステップとを含む、綴具の製造方法。
【請求項１２】
作動片を並設するステップは、一方の作動片の突き合わせ縁に、枢軸部を構成する枢軸片が形成され、且つ他方の作動片の突き合わせ縁に、前記一方の作動片の枢軸片と重ねられる枢軸部を構成する枢軸片が形成されている、一対の作動片を保持部材内に並設するステップを含み、枢軸を挿通するステップは、前記枢軸片間に枢軸を挿通するステップを含む、請求項１０に記載の綴具の製造方法。
【発明の詳細な説明】
【０００１】
【発明の属する技術分野】
この発明は、綴具およびその製造方法に関し、特にたとえば、リングバインダないしファイルとして用いられる綴具およびその製造方法に関する。
【０００２】
【従来の技術】
従来、バインダとして、リングバインダがあるが、リングバインダは、略環状の綴杆が中央で噛み合って閉じられるように形成され、例えばリングを手で開閉する場合、略環状の綴杆を構成する一対の略半円形状の綴杆を、両者が離間するように指で引っ張ることにより、綴杆が開くように形成されている。
しかしながら、この略環状の綴杆を指で開くとき、比較的多く書類等の被綴じ物が綴じられているとき、指で綴杆を構成する一対の略半円形状の綴杆を開きにくいことがある。
そこで、例えば、特許文献１に開示されたリングファイルが提案されている。
【０００３】
【特許文献１】
特開平１０−３３７９８８号公報
【０００４】
【発明が解決しようとする課題】
しかしながら、この従来のリングファイルの、いわゆる立ち梃子型の綴具においても、被綴じ物を略環状の綴杆に数多く閉じたとき、立ち梃子の内側を下方に押して綴杆を開くように構成されているが、立ち梃子を被綴じ物側から外側に向けて押して綴杆を開こうとしたとき、被綴じ物が障害となって、指で立ち梃子を押しにくいという問題がある。
【０００５】
それゆえに、この発明の主たる目的は、綴具の綴杆の頂部を手で操作することにより、比較的容易に開閉することができる綴具およびその製造方法を提供することである。
【０００６】
【課題を解決するための手段】
この発明の請求項１に記載の綴具は、綴杆と、前記綴杆を間隔をおいて設けることができる長さを備えた保持部材と、各綴杆がその基部において間隔をおいてその表面に固定され、該綴杆が前記保持部材に固定されるように保持部材の内側に可動自在に固定された作動部材とを備えた、綴具である。
この発明の請求項２に記載の綴具は、一方の作動片の突き合わせ縁には、適宜な間隔をおいて円筒状摺動部が形成され、且つ他方の作動片の突き合わせ縁には、前記一方の作動片の円筒状摺動部の間に遊嵌される円筒状摺動部が形成されるとともに、前記円筒状摺動部間には枢軸が挿通された、請求項１に記載の綴具である。
この発明の請求項３に記載の綴具は、前記作動片の円筒状摺動部間に形成された空隙部に、開閉部材が設けられた、請求項１または２に記載の綴具である。
この発明の請求項４に記載の綴具は、前記作動部材の円筒状摺動部間に、開閉部材が設けられる空隙部が形成され、前記空隙部には、一方の作動片の円筒状摺動部の内端が臨み、且つ前記内端と対向して他方の作動片の円筒状摺動部の内端が臨むように形成された、請求項１ないし３のいずれかに記載の綴具である。
この発明の請求項５に記載の綴具は、一方の作動片の突き合わせ縁には、枢軸片が形成され、且つ他方の作動片の突き合わせ縁には、前記一方の作動片の枢軸片と重ねられる枢軸片が形成されるとともに、前記枢軸片間には枢軸が挿通された、請求項１に記載の綴具である。
この発明の請求項６に記載の綴具は、前記作動片の突き合わせ縁に、開閉部材が設けられる空隙部が形成され、前記空隙部には、一方の作動片の空隙部側の内端が臨み、且つ前記内端と対向して他方の作動片の空隙部側の内端が臨むように形成された、請求項１または５に記載の綴具である。
この発明の請求項７に記載の綴具は、前記開閉部材は、弾性部材からなり、前記弾性部材は、前記作動部材を構成する一対の作動片の間において、一対の作動片をそれぞれ逆方向に移動させるとともに、綴杆の開閉状態を保持させる方向に、一対の作動片を弾発するように設けられた、請求項１ないし６のいずれかに記載の綴具である。
この発明の請求項８に記載の綴具は、前記弾性部材は、コイルバネからなり、前記コイルバネは、作動部材の枢軸に巻装され、前記コイルバネの一端は作動部材の一方の作動片を押圧し且つその他端は作動部材の他方の作動片を押圧するように、一方の作動片の円筒状摺動部と接するとともに他方の作動片の円筒状摺動部と接するように設けられた、請求項１，２，３，４，７のいずれかに記載の綴具である。
この発明の請求項９に記載の綴具は、前記弾性部材は、コイルバネからなり、前記コイルバネは、枢軸部に巻装され、前記コイルバネの一端は作動部材の一方の作動片を押圧し且つその他端は作動部材の他方の作動片を押圧するように、一方の作動片の空隙部側内端と接するとともに他方の作動片の空隙部側内端と接するように設けられた、請求項１，５，６，７のいずれかに記載の綴具である。
この発明の請求項１０に記載の綴具は、保持部材は、作動部材が内装される保持壁の内側面に移動規制部が形成され、保持部材の保持壁側に延びる開閉部材の係止部は、保持部材に内装される作動部材及び作動部材の作動のための開閉部材の保持部材内の移動を規制するために、作動片の係止部に係止されるとともに、保持部材の移動規制部に当接されるように形成された、請求項１ないし９のいずれかに記載の綴具である。
この発明の請求項１１に記載の綴具の製造方法は、綴杆と、前記綴杆を間隔をおいて設けることができる長さを備えた保持部材と、各綴杆がその基部において間隔をおいてその表面に固定され、該綴杆が前記保持部材に固定されるように保持部材の内側に可動自在に固定された作動部材とを備えた、綴具の製造方法であって、前記作動部材を構成する、一方の作動片には綴杆の一方の基部が固定され、他方の作動片には該綴杆の他方の基部が固定された一対の作動片を、保持部材内で保持部材の長手方向に移動することができるように、保持部材内に並設する、作動片を並設するステップと、前記一対の作動片の突き合わせ縁に形成された枢軸部に、保持部材の長手中心線上において穿設された枢軸貫挿孔より枢軸を挿通する、枢軸を挿通するステップと、前記綴杆を開くときに、前記作動片を保持部材内で保持部材の長手方向に移動させるとともに、前記枢軸部で一対の作動片を回動させて綴杆を開く方向に変化させる開閉部材を枢軸部に固定する、開閉部材を固定するステップとを含む、綴具の製造方法である。
この発明の請求項１２に記載の綴具の製造方法は、作動片を並設するステップは、一方の作動片の突き合わせ縁に、枢軸部を構成する枢軸片が形成され、且つ他方の作動片の突き合わせ縁に、前記一方の作動片の枢軸片と重ねられる枢軸部を構成する枢軸片が形成されている、一対の作動片を保持部材内に並設するステップを含み、枢軸を挿通するステップは、前記枢軸片間に枢軸を挿通するステップを含む、請求項１０に記載の綴具の製造方法である。
【０００７】
【作用効果】
請求項１の発明によれば、綴杆を開く時に、作動片を保持部材内で保持部材の長手方向に移動させるとともに、作動部材の枢軸部で一対の作動片を回動させて綴杆を開く方向に変化させる開閉部材が設けられているので、綴杆を指でねじったとき、開閉部材によって保持部材内で作動片が移動し、綴杆を開くことができ、従って、綴杆の開閉作業が極めて容易となる。
請求項２の発明によれば、一方の作動片の突き合わせ縁には、適宜な間隔をおいて円筒状摺動部が形成され、且つ他方の作動片の突き合わせ縁には、前記一方の作動片の摺動部の間に遊嵌される円筒状摺動部が形成されるとともに、前記摺動部間に挿通された枢軸によって作動片が回動し、綴杆の開閉動作を安定的にかつ容易におこなうことができる。
請求項３の発明によれば、作動片の円筒状摺動部間に形成された空隙部に開閉部材が設けられているので、開閉部材がかさばることなく、作動部材および開閉部材を保持部材内にコンパクトに収容することができることができる。
請求項４の発明によれば、作動部材の円筒状摺動部間に開閉部材が設けられる空隙部が形成されているので、空隙部に開閉部材をコンパクトに収容することができる。
請求項５の発明によれば、作動片に形成された枢軸片を折り返して枢軸を挿通するように形成することにより、比較的安定して精確に枢軸を通すことができる枢軸片を形成できる。
請求項６の発明によれば、作動片の突き合わせ縁に開閉部材が設けられる空隙部が形成されているので、空隙部に開閉部材をコンパクトに収容することができる。
請求項７の発明によれば、開閉部材が弾性部材からなり、該弾性部材が、作動部材を構成する一対の作動片の間において、一対の作動片をそれぞれ逆方向に移動させるとともに、綴杆の開閉状態を保持させる方向に、一対の作動片を弾発するように設けられているので、開閉部材を構成する弾性部材により作動部材を構成する一対の作動片を移動させ、且つ、綴杆の開閉状態を保持させることができる。
請求項８の発明によれば、弾性部材は、コイルバネからなり、コイルバネは、作動部材の枢軸に巻装され、コイルバネの一端は作動部材の一方の作動片を押圧し且つその他端は作動部材の他方の作動片を押圧するように、一方の作動片の円筒状摺動部と接するとともに他方の作動片の円筒状摺動部と接するように設けられているので、弾性部材により、一方の作動片と他方の作動片とを移動させて、作動部材に設けられた綴杆の開閉をスムーズに行なうことができる。
請求項９の発明によれば、弾性部材は、コイルバネからなり、コイルバネは、作動部材の枢軸に巻装され、コイルバネの一端は作動部材の一方の作動片を押圧し且つその他端は作動部材の他方の作動片を押圧するように、一方の作動片の空隙部側内端と接するとともに他方の作動片の空隙部内端と接するように設けられているので、弾性部材により、一方の作動片と他方の作動片とを移動させて、作動部材に設けられた綴杆の開閉をスムーズに行なうことができる。
請求項１０の発明によれば、保持部材は、作動部材が内装される保持壁の内側面に移動規制部が形成され、保持部材の保持壁側に延びる開閉部材の係止部は、保持部材に内装される作動部材及び作動部材の作動のための開閉部材の保持部材内の移動を規制するために、作動片の係止部に係止されるとともに、保持部材の移動規制部に当接されるように形成されているので、作動部材及び枢軸の保持部材の長手方向への移動は規制され、例えば、作動部材及び保持部材を金属製としてもそれらが移動して音をたてることがない。
請求項１１の発明によれば、枢軸部を保持部材の枢軸貫通孔より作動部材及び開閉部材に挿通することにより、比較的簡単に枢軸部を形成することができ、綴具を効率的に製造することができる。
請求項１２の発明によれば、作動片の突き合わせ縁に、枢軸を枢支する枢軸片を、例えば平板状の金属材料からなる作動片に連設された枢軸片を折り返して形成でき、比較的精確に枢軸片を製造でき、枢軸片を例えば直線上に並べて枢軸片間に枢軸を直線的にスムーズに挿通することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、本発明にかかる綴具の一例を示す斜視図である。図２は、閉じた状態における綴具の平面図であり、図３は、閉じた状態における綴具の底面図であり、図４は、閉じた状態における綴具の横断面図であり、図５は、閉じた状態における綴具の側面図である。図６は、開いた状態における綴具の横断面図である。
図７は、閉じた状態における綴杆と作動部材を示す平面図解図であり、図８は、閉じた状態における綴杆の係止部近傍を示す平面図解図であり、図９は、綴杆の半割杆の先端近傍の平面図解図である。
【００１０】
綴具１０は、厚紙その他の比較的硬質なシート材からなる表紙Ａの略中央に形成される左右一対の折り線の内側の背表紙の内側表面に固定される。固定する方法としては、綴具１０の長手方向の両端に形成された取付孔２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。
【００１１】
綴具１０は、一対のそれぞれ略円環状の金属製の第１の綴杆１２および（第１の綴杆１２とは一対の）第２の綴杆１４と、前記第１の綴杆１２および第２の綴杆１４をそれぞれ間隔をおいて設けることができる長さを備えた保持部材１６と、その表面に第１の綴杆１２および第２の綴杆１４が間隔をおいて第１の綴杆１２および第２の綴杆１４のそれぞれの基部が固定され、第１の綴杆１２および第２の綴杆１４が前記保持部材１６に固定されるように保持部材１６の内側に可動自在に固定された作動部材１８とを備える。
【００１２】
保持部材１６は、第１の綴杆１２と第２の綴杆１４とを所定の間隔をおいて設けることができる長さを備える平面略長方形で、その両端、すなわち表紙Ａに取り付ける取付孔２０近傍においては、平面略半円弧状に形成されている。
保持部材１６は、第１の綴杆１２および第２の綴杆１４を固定する部位より幅方向における外側近傍から内側に向かって、その中央が膨出した断面略半円弧状の被綴じ物載置部２２を備え、且つ、被綴じ物載置部２２の内側には空間を備え、その空間に作動部材１８等を収容するように構成されている。
保持部材１６の被綴じ物載置部２２の両端には、その長手方向に略その一端から他端に亘って、作動部材１８を可動自在に保持する保持壁が設けられている。
この実施の形態においては、保持部材１６の長手方向において、第１の綴杆１２および第２の綴杆１４のそれぞれの外側近傍より内部に亘って略全体において垂下されるように、保持壁２４ａおよび保持壁２４ｂが連設されている。さらに、保持壁２４ａおよび保持壁２４ｂの下端縁より内側に向けて、適宜な間隔をおいて、保持用凸部２４ｃおよび保持用凸部２４ｄが突設されており、第１の作動片３０の外側縁３０ｂおよび第２の作動片３２の外側縁３２ｂの近傍を保持するように形成されている。
更に、保持壁２４ａの保持用凸部２４ｃの上部及び保持壁２４ｂの保持用凸部２４ｄの上部には、保持用穴部２４ｅ及び保持用穴部２４ｆが穿設され、第１の作動片３０の外側縁３０ｂに突設された保持用凸部３０ｃ及び第２の作動片３２の外側縁３２ｂに穿設された保持用凸部３２ｃを該保持用穴部２４ｅ及び保持用穴部２４ｆに嵌挿するように形成されている。
したがって、この保持壁２４ａおよび保持壁２４ｂと被綴じ物載置部２２によって囲繞された空間内の最適な位置に、後に詳しく説明する作動部材１８等が移動自在に収容される。
【００１３】
保持部材１６の被綴じ物載置部２２には、第１の綴杆１２と第２の綴杆１４とを、一定の間隔（日本工業規格等で決められている一定の長さ）をおいて遊貫するための第１の貫通孔２６と第２の貫通孔２８がそれぞれ穿設されている。
第１の貫通孔２６と第２の貫通孔２８とは、第１の綴杆１２と第２の綴杆１４を構成する半割杆１２ａおよび半割杆１２ｂと、第２の綴杆１４を構成する半割杆１４ａおよび半割杆１４ｂとに対応して、保持部材１６の幅方向において左右に分かれて一定の間隔をおいて、２つずつ穿設されている。
【００１４】
作動部材１８は、平面略長方形状金属板からなる一対の第１の作動片３０および第２の作動片３２からなる。
第１の作動片３０と第２の作動片３２とは、保持部材１６の空間内において各々その長手方向において並置したとき、各々その内側縁を回動自在に連結して、すなわち、その突き合わせ縁３０ａおよび突き合わせ縁３２ａを突き合わせ、且つ外側縁３０ｂおよび外側縁３２ｂが保持部材１６の保持壁２４ａおよび保持壁２４ｂの両壁内内側面に接合される。
【００１５】
一方の作動片、すなわち第１の作動片３０の突き合わせ縁３０ａには、適宜な間隔をおいて、枢軸部を構成する（枢軸３８の枢支部を構成する）３個の円筒状摺動部３４ａ，３４ｂ，３４ｃが形成され、且つ、他方の作動片、すなわち第２の作動片３２の突き合わせ縁３２ａには、前記一方の作動片、すなわち第１の作動片３０の円筒状摺動部３４ａ，３４ｂ，３４ｃの間に遊嵌される枢軸部を構成する（枢軸３８の枢支部を構成する）３個の円筒状摺動部３６ａ，３６ｂ，３６ｃが形成されている。
そして、円筒状摺動部３４ａ，３４ｂ，３４ｃおよび円筒状摺動部３６ａ，３６ｂ，３６ｃは、断面円環状に形成され、円筒状摺動部３４ａ，３４ｂ，３４ｃおよび円筒状摺動部３６ａ，３６ｂ，３６ｃには貫通孔が貫設され、該貫通孔は保持部材１６の長手方向の中心線上に位置して、該貫通孔内には、枢軸部３８が挿通されている。
【００１６】
そして、前記第１の作動片３０の円筒状摺動部３４ａ，３４ｂ，３４ｃと第２の作動片３２の円筒状摺動部３６ａ，３６ｂ，３６ｃ間には、空隙部４２が形成され、第１の作動片３０の円筒状摺動部３４ａ，３４ｂ，３４ｃと第２の作動片３２の円筒状摺動部３６ａ，３６ｂ，３６ｃとは、枢軸部を構成する枢軸３８に遊嵌されている。すなわち、枢軸３８を中心に第１の作動片３０と第２の作動片３２が回動するとともに、枢軸３８の軸心に沿って第１の作動片３０と第２の作動片３２とが移動することができるように構成されている。
【００１７】
また、第１の作動片３０と第２の作動片３２の略中央には、開閉部材４０が嵌挿される開閉部材用空隙部４４が形成されている。
そして、第１の作動片３０の円筒状摺動部３４ａと第２の作動片３２の円筒状摺動部３６ａとの間には、開閉部材４０を嵌挿させるための開閉部材用空隙部４４が形成されている。
前記開閉部材用空隙部４４には、一方の作動片、すなわち第１の作動片３０の円筒状摺動部３４ａの内端が臨み、且つ前記円筒状摺動部３４ａとの内端と対向して、他方の作動片、すなわち第２の作動片３２の円筒状摺動部３６ａの内端が臨むように形成されている。
【００１８】
そして、第１の作動片３０および第２の作動片３２は、外側から力が加わらないときには、第１の作動片３０と第２の作動片３２とが平面の状態、すなわち保持部材１６の被綴じ物載置部２２の内面より離れた方向（突き合わせ縁３０ａおよび突き合わせ縁３２ａが、図４及び図７図示半割杆１２ａ，半割杆１２ｂ，半割杆１４ａ及び半割杆１４ｂのそれぞれの基部を通る平面ＰＸＹと略平行面）に向いて、あるいはまた、山折り、すなわち保持部材１６の被綴じ物載置部２２の内面に近づいた方向（突き合わせ縁３０ａおよび突き合わせ縁３２ａが図７図示平面ＰＸＹより上側）に向いて、その平面の状態または山折りの状態を維持するように、保持部材１６の内側空間部に内設されている。
【００１９】
作動部材１８は、一方の作動片、すなわち第１の作動片３０における保持部材１６の被綴じ物載置部２２の内側面と対向する表面（すなわち上面）には、第１の綴杆１２を構成する半割杆１２ａの基部が固定され、且つ、前記半割杆１２ａとは一定の間隔をおいて、第２の綴杆１４を構成する半割杆１４ａの基部が固定されている。
また、他方の作動片、すなわち第２の作動片３２における保持部材１６の被綴じ物載置部２２と対向する表面（すなわち上面）には、第１の綴杆１２を構成する半割杆１２ｂの基部が固定され、且つ、前記半割杆１２ｂと一定の間隔をおいて、第２の綴杆１４を構成する半割杆１４ｂの基部が固定されている。
【００２０】
そして、前記第１の綴杆１２および第２の綴杆１４が閉じるときには、図４に示すように、作動部材１８を構成する第１の作動片３０と第２の作動片３２とは、その突き合わせ縁３０ａおよび突き合わせ縁３２ａが保持部材１６の内面（被綴じ物載置部２２の内面）より離れた方向で水平面上に並置される方向に向いて（すなわち平面の状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図６に示すように、作動部材１８を構成する第１の作動片３０と第２の作動片３２とは、保持部材１６の内面（被綴じ物載置部２２の内面）に近づいた方向に向いて（すなわち谷折り状態）、第２の作動片３２の突き合わせ縁３２ａとが突き合わされた状態に保持されるように保持部材１６内の空間において固定される。
また、作動部材１８を構成する第１の作動片３０と第２の作動片３２とは、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された半割杆１２ａと半割杆１４ａとを結ぶ線（Ｘ１（図３及び図７図示））および半割杆１２ｂと半割杆１４ｂとを結ぶ線（Ｘ２（図３及び図７図示））と平行な方向に、第１の作動片３０と第２の作動片３２とを移動させることができるように摺動自在に内設されている。
第１の作動片３０と第２の作動片３２には、第１の綴杆１２と第２の綴杆１４とを開閉方向に変化させる開閉部材４０が設けられている。
【００２１】
開閉部材４０は、コイルバネからなり、開閉部材４０を構成するコイルバネは、全体的には捩りバネを構成し、中央の平面コ字型の連結係止部５２と、前記連結係止部５２の両端に形成された一対の略円筒状の圧縮バネ部５４ａおよび略円筒状の圧縮バネ部５４ｂと、前記圧縮バネ部５４ａの連結係止部５２とは反対側の端部より延びて形成された係止部５６ａと、前記圧縮バネ部５４ｂの連結係止部５２とは反対側の端部より延びて形成された係止部５６ｂとが、鋼線をコイル型に巻いて形成されている。
すなわち、開閉部材４０は、略円筒状の圧縮バネ部５４ａおよび略円筒状の圧縮バネ部５４ｂの中央に形成された貫通孔内に枢軸３８を貫挿することによって、前記作動部材１８の枢軸３８に巻装されている。そして、連結係止部５２は、第１の作動片３０の上面に係止され、他方の係止部５６ａおよび５６ｂは、第２の作動片３２の上面に係止されている。
そして、第１の綴杆１２を閉じた状態においては、開閉部材４０は、捩られた状態となり、開閉部材４０は、第１の作動片３０と第２の作動片３２を第１の綴杆１２を開く方向に付勢している。
【００２２】
作動部材１８の枢軸３８に巻装された圧縮バネ部５４ａの一端は、作動部材１８の一方の作動片、すなわち第１の作動片３０を外側に向けて押圧し、圧縮バネ部５４ｂの他端は、作動部材１８の他方の作動片、すなわち第２の作動片３２を外側に向けて押圧するように、第１の作動片３０の円筒状摺動部３４と接し、且つ、第２の作動片３２の円筒状摺動部３６と接するように設けられている。
そして、圧縮バネ部５４ａおよび圧縮バネ部５４ｂは、開閉部材用空隙部４４内において、第１の綴杆１２が閉じられた状態においては、第１の作動片３０と第２の作動片３２とを枢軸３８の長手方向に沿って外方に向けて移動するように円筒状摺動部３４および円筒状摺動部３６と接している。
而して、第１の綴杆１２または第２の綴杆１４を指で捩って開いたときには、一旦、連結係止部５２が撓み、空隙部４２を埋め、そして指の力をゆるめるか、指を離すと開閉部材４０の連結係止部５２と圧縮バネ部５４ａおよび圧縮バネ部５４ｂとは、圧縮状態を解放されて、若干伸展し、第１の作動片３０と第２の作動片３２とを逆方向に移動させるように付勢する。
【００２３】
このように、開閉部材４０は、この実施の形態においては、第１の作動片３０と第２の作動片３２とを、保持部材１６の空間内で保持部材１６の長手方向において、第１の作動片３０と第２の作動片３２とを逆方向に移動させるとともに、保持部材１６を構成する第１の作動片３０の突き合わせ縁３０ａと第２の作動片３２の突き合わせ縁３２ａが保持部材１６の被綴じ物載置部２２の内面に近づいた方向、すなわち山折り状態に保持されるように設けられている。
【００２４】
そして、作動部材１８を構成する第１の作動片３０と第２の作動片３２とは、第１の綴杆１２と第２の綴杆１４を開き始めたとき、すなわち、第１の綴杆１２と第２の綴杆１４のそれぞれの綴杆係止部６０を指で外したとき、開閉部材４０が元の状態に戻ろうとして、すなわち、圧縮されていた開閉部材４０が復元方向に作用し、第１の綴杆１２の半割杆１２ａと半割杆１２ｂとが離れる方向（半割杆１２ａはＯ１方向で、半割杆１２ｂはＯ２方向（図７図示））および第２の綴杆１４の半割杆１４ａと半割杆１４ｂとが離れる方向（半割杆１４ａはＯ１方向で、半割杆１４ｂはＯ２方向（図７図示））に移動するように作用して、第１の作動片３０と第２の作動片３２とをそれぞれ逆方向に移動させるように作用する。
すなわち、第１の作動片３０は、綴杆係止部６０を外す方向（Ｏ１方向）に移動し、第２の作動片３２は、綴杆係止部６０を外す方向（Ｏ２方向）に移動する。
さらに、開閉部材４０は、捩られていた状態から元の状態に復元しようとして、半割杆１２ａと半割杆１２ｂとをおよび半割杆１４ａと半割杆１４ｂとを円周方向（Ｙ１およびＹ２方向（図７図示））に引き離すように作用する。
作動部材１８を構成する第１の作動片３０と第２の作動片３２は、平面の状態から山折り状態に変わる。
そして、開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。
【００２５】
第１の綴杆１２は、略円環状となるように、半円弧状の半割杆１２ａと半割杆１２ｂとから構成され、第２の綴杆１４は、略円環状となるように、半円弧状の半割杆１４ａと半割杆１４ｂとから構成されている。そして、用紙Ｐに予め穿設された綴じ孔に挿通して、用紙Ｐを綴じることができるように、半割杆１２ａおよび半割杆１２ｂと、半割杆１４ａと半割杆１４ｂの先端、すなわち第１の綴杆１２および第２の綴杆１４の頂部において、綴杆係止部６０が形成されている。
第１の綴杆１２を構成する半割杆１２ａと半割杆１２ｂは、半割杆１２ａの綴杆係止部６０と、半割杆１２ｂの綴杆係止部６０とを係止することにより、環状に係合される。
また、第２の綴杆１４を構成する半割杆１２ｂと半割杆１４ｂとは、半割杆１２ｂの綴杆係止部６０と半割杆１４ｂの綴杆係止部６０とを係止することにより、環状に係合される。
【００２６】
第１の綴杆１２と第２の綴杆１４とは、それぞれの基部が第１の作動片３０と第２の作動片３２に固着された部分（４箇所）を通る軸Ｙ１，Ｙ２および軸Ｘ１，Ｘ２（図４及び図７図示）を含む平面ＰＸＹと垂直な平面を構成するように、第１の作動片３０と第２の作動片３２より立設されている。そして、第１の綴杆１２の軸Ｚ１（図１２図示）が構成する円形面と第２の綴杆１４の軸Ｚ２（図１２図示）が構成する円形面とは、平行で、且つ、第１の綴杆１２と第２の綴杆１４が第１の作動片３０と第２の作動片３２と固着された部位を通る平面ＰＸＹと垂直となるように構成されている。
【００２７】
そして、第１の綴杆１２と第２の綴杆１４とは、同一方向に向けて、その綴杆係止部６０を指で外すことができるように構成されている。
第１の綴杆１２を構成する半割杆１２ａの先端に形成された綴杆係止部６０を構成する先端の凸部６２ａとその凸部６２ａに続く凹部６２ｂと、半割杆１２ｂの綴杆係止部６０を構成する先端の凸部６４ａとその先端の凸部６４ａに続く凹部６４ｂとは、第１の綴杆１２を閉じたとき係合するように逆方向に向けて突き出しあるいは凹み形成されている。凸部６２ａと凸部６４ａとは、それぞれ先端から内側に向けて傾斜縁を備えており、すべりながら、第１の綴杆１２および第２の綴杆１４を開閉することができるように形成されている。
また、第２の綴杆１４を構成する半割杆１４ａの先端に形成された綴杆係止部６０を構成する凸部６６ａとその凸部６６ａに続く凹部６６ｂと、半割杆１４ｂの綴杆係止部６０を構成する先端の凸部６８ａとその先端の凸部６８ａに続く凹部６８ｂとは、第２の綴杆１４を閉じたとき係合するように逆方向に向けて突き出しあるいは凹み形成されている。
また、半割杆１２ａの綴杆係止部６０を構成する凸部６２ａと半割杆１４ａの綴杆係止部６０を構成する凸部６６ａとは、同一方向に向けて突き出し設けられている。
また、半割杆１２ｂの綴杆係止部６０を構成する凹部６４ｂと半割杆１４ｂの綴杆係止部６０を構成する凹部６８ｂとは、同一方向に向けて凹み形成されている。
【００２８】
したがって、第１の綴杆１２の綴杆係止部６０を、第１の綴杆１２の頂部を指でねじることにより外すことができ、第１の綴杆１２の綴杆係止部６０を指で外すと、第１の作動片３０と第２の作動片３２とが、開閉部材４０が元の状態に戻ろうとする力、すなわち伸展しようとする力が働くことにより、第１の作動片３０と第２の作動片３２とが逆方向に移動する。そして、捩られていた開閉部材４０の復元力により、第２の綴杆１４を構成する半割杆１４ａの凸部６６ａと半割杆１４ｂの凸部６８ａとを引き離す方向に作用して、第１の綴杆１２の半割杆１２ａの凸部６２ａと半割杆１２ｂの凸部６４ａとを引き離す方向に作用するとともに、第２の綴杆１４を構成する半割杆１４ａの凸部６６ａと半割杆１４ｂの凸部６８ａとを引き離すように作用する。
【００２９】
このように、この実施の形態においては、第１の綴杆１２および第２の綴杆１４の頂部を指でねじることにより、第１の綴杆１２の半割杆１２ａおよび半割杆１２ｂの綴杆係止部６０と、第２の綴杆１４の半割杆１４ａおよび半割杆１４ｂの綴杆係止部６０を外すことができる。
【００３０】
綴具１０を表紙Ａに取り付けるには、保持壁２４ａおよび保持壁２４ｂの下端縁を接合して取付孔２０，２０にボルトナットにより取り付ければよい。さらに、適宜空間を設けるためのスペーサを介在させて取り付けてもよい。
また、前記実施の形態においては、第１の綴杆１２と第２の綴杆１４といったように、２穴タイプの綴具について説明したが、綴杆を増やした多穴タイプ、例えば、３穴、４穴、２０穴、２６穴、３０穴といった多くの綴杆を備えた綴具とすることができる。
【００３１】
次に、本発明にかかる別の実施の形態について、図１７ないし図２０に基づいて説明する。
この実施の形態の綴具１１０は、前記実施の形態の綴具１０と略同様の構成であるが、主として、綴杆の数が増加したことに伴う、作動部材の構成および開閉部材の構成が異なるので、それらを中心に以下説明する。
【００３２】
綴杆は、４穴タイプのために、第１の綴杆１１２、第２の綴杆１１３、第３の綴杆１１４および第４の綴杆１１５の４個の綴杆からなる。第１の綴杆１１２は、半割杆１１２ａおよび半割杆１１２ｂを備え、第２の綴杆１１３は、半割杆１１３ａおよび半割杆１１３ｂを備え、第３の綴杆１１４は、半割杆１１４ａおよび半割杆１１４ｂを備え、第４の綴杆１１５は、半割杆１１５ａおよび半割杆１１５ｂを備える。
【００３３】
前記半割杆１１２ａ、半割杆１１３ａ、半割杆１１４ａ、半割杆１１５ｂの基部が固定された第１の作動片１３０と、半割杆１１２ｂ、半割杆１１３ｂ、半割杆１１４ｂ、半割杆１１５ｂの基部が固定された第２の作動片１３２は、前記実施の形態の第１の作動片３０および第２の作動片３２と比して長く延びて形成され、第１の綴杆１１２と第２の綴杆１１３と第３の綴杆１１４と第４の綴杆１１５の間を、日本工業規格に規定された適宜な間隔をおいて立設するように構成されている。
【００３４】
第１の作動片１３０と第２の作動片１３２とは、その突き合わせ縁１３０ａおよび突き合わせ縁１３２ａとを突き合わせ、第１の作動片１３０の円筒状摺動部１３４ａ，１３４ｂ，１３４ｃ，１３４ｄ，１３４ｅ，１３４ｆ内に第２の作動片１３２の円筒状摺動部１３６ａ，１３６ｂ，１３６ｃ，１３６ｄ，１３６ｅ，１３６ｆが嵌装され、直線状に並列された第１の作動片１３０の円筒状摺動部１３４ａ，１３４ｂ，１３４ｃ，１３４ｄ，１３４ｅ，１３４ｆと第２の作動片１３２の円筒状摺動部１３６ａ，１３６ｂ，１３６ｃ，１３６ｄ，１３６ｅ，１３６ｆの貫通孔内に枢軸１３８が嵌挿され、該枢軸１３８を中心として回動自在となるように構成されている。
そして、第１の作動片１３０の円筒状摺動部１３４と第２の作動片１３２の円筒状摺動部１３６の間には、空隙部１４２が形成されるように構成されている。
【００３５】
この綴具１１０を構成する第１の作動片１３０の突き合わせ縁１３０ａの略中央付近には、開閉部材用空隙部１４４が形成され、第２の作動片１３２の突き合わせ縁１３２ａの略中央付近には、開閉部材用空隙部１４４が形成されている。
そして、第１の作動片１３０の突き合わせ縁１３０ａに形成された円筒状摺動部１３４ａは、前記開閉部材用空隙部１４４に臨み、且つ第２の作動片１３２の突き合わせ縁１３２ａに形成された円筒状摺動部１３６ａは、前記第１の作動片１３０に対向して前記開閉部材用空隙部１４４に臨むように形成されている。
【００３６】
そして、開閉部材１４０は、前記実施の形態の開閉部材４０を構成するコイルバネとはその構成が若干相違し、全体が略円筒状のコイル状である。
開閉部材１４０は、略円筒状コイル部１５２の両端には、それぞれ反対方向を向いて連設された係止部１５４と係止部１５６とを備え、略円筒状コイル部１５２内の貫通孔に枢軸１３８を嵌挿することにより、開閉部材用空隙部１４４内に巻装されるとともに、一方の係止部１５４は、第１の作動片１３０の裏面に係止されるとともに、綴杆が閉じられた状態においては、捩られた状態において、もう一方の係止部１５６が第２の作動片１３２の上面に係止されている。
そして、略円筒状コイル部１５２の一端は、圧縮された状態において、（すなわち伸びようとする弾発力が働くように、）第１の作動片１３０の円筒状摺動部１３４ａの開閉部材用空隙部１４４側端縁に当接されるとともに、第２の作動片１３２の円筒状摺動部１３６ａの開閉部材用空隙部１４４側端縁に接合された状態において、開閉部材用空隙部１４４内に嵌挿されている。
【００３７】
このように、この実施の形態においては、第１の綴杆１１２、第２の綴杆１１３、第３の綴杆１１４および第４の綴杆１１５のうち２つの綴杆の頂部を、例えば両手の指でねじることにより、第１の綴杆１１２，第２の綴杆１１３，第３の綴杆１１４および第４の綴杆１１５の綴杆係止部１６０を外すことができる。
【００３８】
次に、本発明にかかる更に別の実施の形態について、図２６ないし図４６に基づいて説明する。
図２６は、本発明にかかる別の実施の形態である綴具を示す斜視図である。図２７は、閉じた状態における綴具の平面図であり、図２８は、閉じた状態における綴具の底面図であり、図２９は、閉じた状態における綴具の横断面図であり、図３０は、閉じた状態における綴具の側面図である。図３１は、開いた状態における綴具の横断面図である。図３２は、閉じた状態における綴杆と作動部材を示す平面図解図であり、図３３は、閉じた状態における綴杆の係止部近傍を示す平面図解図であり、図３４は、開いた状態における綴杆の半割杆の先端近傍の平面図解図である。
【００３９】
綴具２１０は、厚紙その他の比較的硬質なシート材からなる表紙Ａの略中央に形成される左右一対の折り線の内側の背表紙の内側表面に固定される。固定する方法としては、綴具２１０の長手方向の両端に形成された取付孔２２０（後に詳述する）にボルトとナットやはとめ等の固着具を挿通させて、背表紙と一体となるように固定する方法がある。
なお、ここでは、固着具として、ボルトとナットを用いて説明するが、これに限ることなく、例えば、ビス、はとめ、リベット等を用いてもよい。また、背表紙に対して、例えば、超音波溶着または高周波溶着することにより固着する方法を採用することもできる。
【００４０】
綴具２１０は、一対のそれぞれ略円環状の金属製の第１の綴杆２１２および（第１の綴杆２１２とは一対の）第２の綴杆２１４と、前記第１の綴杆２１２および第２の綴杆２１４をそれぞれ間隔をおいて設けることができる長さを備えた保持部材２１６と、その表面に第１の綴杆２１２および第２の綴杆２１４が間隔をおいて第１の綴杆２１２および第２の綴杆２１４のそれぞれの基部が固定され、第１の綴杆２１２および第２の綴杆２１４が前記保持部材２１６に固定されるように保持部材２１６の内側に可動自在に固定された作動部材２１８とを備える。
【００４１】
保持部材２１６は、第１の綴杆２１２と第２の綴杆２１４とを所定の間隔をおいて設けることができる長さを備える平面略長方形で、その両端、すなわち表紙Ａに取り付ける取付孔２２０近傍においては、平面略半円弧状に形成されている。
保持部材２１６は、第１の綴杆２１２および第２の綴杆２１４を固定する部位より幅方向における外側近傍から内側に向かって、その中央が膨出した断面略半円弧状の被綴じ物載置部２２２を備え、且つ、被綴じ物載置部２２２の内側には空間を備え、その空間に作動部材２１８等を収容するように構成されている。
保持部材２１６の被綴じ物載置部２２２の両端には、その長手方向に略その一端から他端に亘って、作動部材２１８を可動自在に保持する保持壁が設けられている。この実施の形態においては、保持部材２１６の長手方向において、第１の綴杆２１２および第２の綴杆２１４のそれぞれの外側近傍より内部に亘って略全体において垂下されるように、保持壁２２４ａおよび保持壁２２４ｂが連設されている。さらに、保持壁２２４ａおよび保持壁２２４ｂの下端縁より内側に向けて、適宜な間隔をおいて、保持用凸部２２４ｃおよび保持用凸部２２４ｄが突設されており、第１の作動片２３０の外側縁２３０ｂおよび第２の作動片２３２の外側縁２３２ｂの近傍を保持するように形成されている。
したがって、この保持壁２２４ａおよび保持壁２２４ｂと被綴じ物載置部２２２によって囲繞された空間内の最適な位置に、後に詳しく説明する作動部材２１８等が移動自在に収容される。
【００４２】
保持部材２１６の被綴じ物載置部２２２には、第１の綴杆２１２と第２の綴杆２１４とを、一定の間隔（日本工業規格等で決められている一定の長さ）をおいて遊貫するための第１の貫通孔２２６と第２の貫通孔２２８がそれぞれ穿設されている。
第１の貫通孔２２６と第２の貫通孔２２８とは、第１の綴杆２１２と第２の綴杆２１４を構成する半割杆２１２ａおよび半割杆２１２ｂと、第２の綴杆２１４を構成する半割杆２１４ａおよび半割杆２１４ｂとに対応して、保持部材２１６の幅方向において左右に分かれて一定の間隔をおいて、２つずつ穿設されている。
【００４３】
作動部材２１８は、平面略長方形状金属板からなる一対の第１の作動片２３０および第２の作動片２３２からなる。
第１の作動片２３０と第２の作動片２３２とは、同一形状であり、点対称の位置で保持部材２１６の空間内において各々その長手方向において並置したとき、各々その内側縁を回動自在に連結して、すなわち、その突き合わせ縁２３０ａおよび突き合わせ縁２３２ａを突き合わせ、且つ外側縁２３０ｂおよび外側縁２３２ｂが保持部材２１６の保持壁２２４ａおよび保持壁２２４ｂの両壁内内側面に接合される。
【００４４】
一方の作動片、すなわち第１の作動片２３０の突き合わせ縁２３０ａの両端、すなわち、突き合わせ縁２３０ａと直交する一方端及び該一方端と対向する他方端には、突き合わせ縁２３０ａと直交するように、突き合わせ縁２３０ａの一方端及び他方端を折り曲げて、枢軸部を構成する（枢軸２３８の枢支部を構成する）枢軸片２３４ａ，２３４ｂが垂直方向に突設されている。
一方の枢軸片２３４ａと他方の枢軸片２３４ｂとは、突き合わせ縁２３０ａを挟んで平行に向き合うように形成され、その略中央には枢軸部を構成する枢軸２３８を貫挿する枢軸孔２３４ｃ，２３４ｄが貫設されている。
他方の作動片、すなわち第２の作動片２３２の突き合わせ縁２３２ａの両端、すなわち、突き合わせ縁２３２ａと直交する一方端及び該一方端と対向する他方端には、突き合わせ縁２３２ａと直交するように、突き合わせ縁２３０ａの一方端及び他方端を折り曲げて、枢軸部を構成する（枢軸２３８の枢支部を構成する）枢軸片２３６ａ，２３６ｂが垂直方向に突設されている。
一方の枢軸片２３６ａと他方の枢軸片２３６ｂとは、突き合わせ縁２３２ａを挟んで平行に向き合うように形成され、その略中央には枢軸２３８を貫挿する枢軸孔２３６ｃ，２３６ｄが貫設されている。
第１の作動片２３０と第２の作動片２３２とが並設され、第１の作動片２３０の枢軸片２３４ａと第２の作動片２３２の枢軸片２３６ａとがそれぞれの間に間隔をあけて略平行に重なり合い、且つ、第１の作動片２３０の枢軸片２３４ｂと第２の作動片の枢軸片２３６ｂとがそれぞれの間に間隔をあけて略平行に重なり合うように保持部材２１６内に内設され、枢軸孔２３６ｃ及び２３６ｄは、保持部材２１６の長手中心線上に位置する。
【００４５】
また、第１の作動片２３０と第２の作動片２３２の略中央には、開閉部材２４０が嵌挿される開閉部材用空隙部２４４が形成されている。
前記開閉部材用空隙部２４４には、一方の作動片、すなわち第１の作動片２３０の枢軸受け２７０の内端が臨み、且つ前記数軸受け２７０の内端と対向して、他方の作動片、すなわち第２の作動片２３２の枢軸受け２７２の内端が臨むように形成されている。
第１の作動片２３０の枢軸受け２７０と第２の作動片２３２の枢軸受け２７２とは、第１の作動片２３０及び第２の作動片２３２がその裏面側に向けて折曲され、その先端に枢軸２３８を嵌装する半円弧状凹部２７０ａ及び半円弧状凹部２７２ａが穿設されている。
【００４６】
そして、第１の作動片２３０の突き合わせ縁２３０ａと第２の作動片２３２の突き合わせ縁２３２ａとにおいて向き合うように、第１の作動片２３０の突き合わせ縁２３０ａに枢軸２３８の抜け止め用空隙部２７４が穿設され、且つ第２の作動片２３２の突き合わせ縁２３２ａに枢軸２３８の抜け止め用空隙部２７６が穿設されている。
抜け止め用空隙部２７４と抜け止め用空隙部２７６とが向き合って、略方形の貫通孔が構成される。
【００４７】
綴具２１０を組み立てるには、例えば、図４４及び図４５に示すように、次のような手順で行なうとよい。
作動部材２１８を構成する一方の作動片、すなわち第１の綴杆２１２、第２の綴杆２１４の一方の基部が固定された第１の作動片２３０と、他方の作動片、すなわち第１の綴杆２１２、第２の綴杆２１４の他方の基部が固定された第２の作動片２３２とを、図４４の（１）（２）（３）の順で、保持部材２１６内で保持部材２１６の長手方向に移動することができるように、保持部材２１６内に並設する（作動片を並設するステップ）。
【００４８】
次に、枢軸部を構成する枢軸２３８を、第１の作動片２３０及び第２の作動片２３２の枢軸部に固定する。
保持部材２１６の被綴じ物載置部２２２には、取付孔２２０の内側において、枢軸２３８を貫挿するための枢軸貫挿孔２８０が穿設されているが、枢軸２３８は、図４５（１）において示すように、保持部材２１６の枢軸貫挿孔２８０から保持部材２１６内に並設された第１の作動片２３０の枢軸片２３４ａの枢軸孔２３４ｃ及び第２の作動片２３２の枢軸片２３６ａの枢軸孔２３６ｃに貫挿する（枢軸を挿通するステップ）。枢軸２３８は、枢軸孔２３４ｃ及び枢軸孔２３６ｃと、枢軸孔２３４ｄ及び枢軸孔２３６ｄと略一直線状に並ぶように、保持部材２１６に穿設されているので、枢軸２３８を挿通させやすい。
そして、枢軸２３８は、図４５（２）において示すように、抜け止め用空隙部２７４，２７６を通って開閉部材用空隙部２４４に通され、開閉部材用空隙部２４４に嵌装された開閉部材２４０の圧縮バネ部２５４内の貫通孔に貫挿する（開閉部材を固定するステップ）。
更に、抜け止め用空隙部２７４，２７６を通って、第２の作動片２３２の枢軸片２３６ｂの枢軸孔２３６ｄ及び第１の作動片２３０の枢軸片２３４ｂの枢軸孔２３４ｄに貫挿する（枢軸を挿通するステップ）。
そのとき、枢軸２３８は、枢軸受け２７０及び２７２の半円弧状凹部２７０ａ及び２７２ａに嵌挿する。
開閉部材２４０は、コイルバネからなり、開閉部材２４０を構成するコイルバネは、全体的には捩りバネを構成し、略円筒状の圧縮バネ部２５４と、前記圧縮バネ部２５４の端部より延びて形成された係止部２５０と、前記圧縮バネ部２５４の反対側の端部より延びて形成された係止部２５２とが、鋼線をコイル型に巻いて形成されているが、図４５（２）（３）において示すように、係止部２５０は、第１の作動片２３０の上面の係止部２７８ａに係止し、他方の係止部２５２は、第２の作動片２３２の上面の係止部２７８ｂに係止する。
そして、枢軸２３８が抜け出ることを防止するために、図４５（３）において示すように、抜け止め用空隙部２７４及び２７６に通された枢軸２３８の外表面に、弾力性を有する略Ｕ字状抜け止め具２４６を添装する。
開閉部材２４０は、後に詳しく説明するが、作動部材２１８の開閉部材用空隙部２４４に嵌装された状態において、第１の作動片２３０と第２の作動片２３２とに捩った状態で係止される。
【００４９】
第１の作動片２３０の枢軸片２３４ａ，２３４ｂ及び第２の作動片２３２の枢軸片２３６ａ，２３６ｂは、第１の作動片２３０及び第２の作動片２３２を形成する平板状の金属材料によって、第１の作動片２３０及び第２の作動片２３２に連設された枢軸片２３４ａ，２３４ｂ及び枢軸片２３６ａ，２３６ｂを第１の作動片２３０及び第２の作動片２３２の平板状本体部分に対して直角に折り返して形成する。このようにすれば、枢軸片２３４ａと枢軸片２３４ｂ及び枢軸片２３６ａと枢軸片２３６ｂとがそれぞれ対向し、それぞれに形成された枢軸孔２３４ｃと枢軸孔２３４ｄ及び枢軸孔２３６ｃと枢軸孔２３６ｄとが直線状に並び、直線状枢軸２３８を挿通させ易い。
【００５０】
そして、第１の作動片２３０および第２の作動片２３２は、外側から力が加わらないときには、第１の作動片２３０と第２の作動片２３２とが平面の状態、すなわち保持部材２１６の被綴じ物載置部２２２の内面より離れた方向（突き合わせ縁２３０ａおよび突き合わせ縁２３２ａが、図２９及び図３２図示半割杆２１２ａ，半割杆２１２ｂ，半割杆２１４ａ及び半割杆２１４ｂの基部を通る平面ＰＸＹと略平行面）に向いて、あるいはまた、山折り、すなわち保持部材２１６の被綴じ物載置部２２２の内面に近づいた方向（突き合わせ縁２３０ａおよび突き合わせ縁２３２ａが図３２図示平面ＰＸＹより上側）に向いて、その平面の状態または山折りの状態を維持するように、保持部材２１６の内側空間部に内設されている。
【００５１】
作動部材２１８は、一方の作動片、すなわち第１の作動片２３０における保持部材２１６の被綴じ物載置部２２２の内側面と対向する表面（すなわち上面）には、第１の綴杆２１２を構成する半割杆２１２ａの基部が固定され、且つ、前記半割杆２１２ａとは一定の間隔をおいて、第２の綴杆２１４を構成する半割杆２１４ａの基部が固定されている。
また、他方の作動片、すなわち第２の作動片２３２における保持部材２１６の被綴じ物載置部２２２と対向する表面（すなわち上面）には、第１の綴杆２１２を構成する半割杆２１２ｂの基部が固定され、且つ、前記半割杆２１２ｂと一定の間隔をおいて、第２の綴杆２１４を構成する半割杆２１４ｂの基部が固定されている。
【００５２】
そして、前記第１の綴杆２１２および第２の綴杆２１４が閉じるときには、図２９に示すように、作動部材２１８を構成する第１の作動片２３０と第２の作動片２３２とは、その突き合わせ縁２３０ａおよび突き合わせ縁２３２ａが保持部材２１６の内面（被綴じ物載置部２２２の内面）より離れた方向で水平面上に並置される方向に向いて（すなわち平面の状態）、第１の作動片２３０の突き合わせ縁２３０ａと第２の作動片２３２の突き合わせ縁２３２ａとが突き合わされた状態において保持されるとともに、前記第１の綴杆２１２および第２の綴杆２１４を開くときには、図３１に示すように、作動部材２１８を構成する第１の作動片２３０と第２の作動片２３２とは、保持部材２１６の内面（被綴じ物載置部２２２の内面）に近づいた方向に向いて（すなわち山折り状態）、第２の作動片２３２の突き合わせ縁２３２ａとが突き合わされた状態に保持されるように保持部材２１６内の空間において固定される。
また、作動部材２１８を構成する第１の作動片２３０と第２の作動片２３２とは、保持部材２１６の被綴じ物載置部２２２の内面に近づいた方向、すなわち山折りの状態においては、第１の作動片２３０と第２の作動片２３２の長手方向、すなわち第１の作動片２３０と第２の作動片２３２に固着された半割杆２１２ａと半割杆２１４ａとを結ぶ線（Ｘ１（図２８及び図３２図示））および半割杆２１２ｂと半割杆２１４ｂとを結ぶ線（Ｘ２（図２８及び図３２図示））と平行な方向に、第１の作動片２３０と第２の作動片２３２とを移動させることができるように摺動自在に内設されている。
第１の作動片２３０と第２の作動片２３２には、第１の綴杆２１２と第２の綴杆２１４とを開閉方向に変化させる開閉部材２４０が設けられている。
【００５３】
開閉部材２４０は、コイルバネからなり、開閉部材２４０を構成するコイルバネは、全体的には捩りバネを構成し、略円筒状の圧縮バネ部２５４と、前記圧縮バネ部２５４の端部より延びて形成された係止部２５０と、前記圧縮バネ部２５４の反対側の端部より延びて形成された係止部２５２とが、鋼線をコイル型に巻いて形成されている。
すなわち、開閉部材２４０は、略円筒状の圧縮バネ部２５４の中央に形成された貫通孔内に枢軸２３８を貫挿することによって、前記作動部材２１８の枢軸２３８に巻装されている。そして、係止部２５０は、第１の作動片２３０の上面の係止部２７８ａに係止され、他方の係止部２５２は、第２の作動片２３２の上面の係止部２７８ｂに係止されている。
そして、第１の綴杆２１２を閉じた状態においては、開閉部材２４０は、捩られた状態となり、開閉部材２４０は、第１の作動片２３０と第２の作動片２３２を第１の綴杆２１２を開く方向に付勢している。
【００５４】
作動部材２１８の枢軸２３８に巻装された圧縮バネ部２５４の一端は、作動部材２１８の一方の作動片、すなわち第１の作動片２３０の枢軸受け２７０の内側面と接し、第１の作動片２３０を外側に向けて押圧し、圧縮バネ部２５４の他端は、作動部材２１８の他方の作動片、すなわち第２の作動片２３２の枢軸受け２７２の内側面と接し、第２の作動片２３２を外側に向けて押圧するように、第１の作動片２３０の枢軸受け２７０と接し、且つ、第２の作動片２３２の枢軸受け２７２と接するように設けられている。
そして、圧縮バネ部２５４は、開閉部材用空隙部２４４内において、第１の綴杆２１２が閉じられた状態においては、第１の作動片２３０と第２の作動片２３２とを枢軸２３８の長手方向に沿って外方に向けて移動するように枢軸受け２７０および枢軸受け２７２と接している。また、枢軸片２３４ａと枢軸片２３６ａ及び枢軸片２３４ｂと枢軸片２３６ｂとの間には、空間が設けられている。
而して、第１の綴杆２１２または第２の綴杆２１４を指で捩って開いたときには、一旦、開閉部材２４０が縮み、そして指の力をゆるめるか、指を離すと開閉部材２４０の圧縮バネ部２５４は、圧縮状態を解放されて、若干伸展し、第１の作動片２３０と第２の作動片２３２とを逆方向に移動させるように付勢する。
【００５５】
このように、開閉部材２４０は、この実施の形態においては、第１の作動片２３０と第２の作動片２３２とを、保持部材２１６の空間内で保持部材２１６の長手方向において、第１の作動片２３０と第２の作動片２３２とを逆方向に移動させるとともに、保持部材２１６を構成する第１の作動片２３０の突き合わせ縁２３０ａと第２の作動片２３２の突き合わせ縁２３２ａが保持部材２１６の被綴じ物載置部２２２の内面に近づいた方向、すなわち山折り状態に保持されるように設けられている。
【００５６】
そして、作動部材２１８を構成する第１の作動片２３０と第２の作動片２３２とは、第１の綴杆２１２と第２の綴杆２１４を開き始めたとき、第１の綴杆２１２の半割杆２１２ａと半割杆２１２ｂとが離れる方向（半割杆２１２ａはＯ１方向で、半割杆２１２ｂはＯ２方向（図３２図示））および第２の綴杆２１４の半割杆２１４ａと半割杆２１４ｂとが離れる方向（半割杆２１４ａはＯ１方向で、半割杆２１４ｂはＯ２方向（図３２図示））に移動するように作用し、その後、第１の綴杆２１２と第２の綴杆２１４のそれぞれの綴杆係止部２６０を指で外したとき、開閉部材２４０が元の状態に戻ろうとして、すなわち、圧縮されていた開閉部材２４０が復元方向に作用して、第１の作動片２３０と第２の作動片２３２とをそれぞれ逆方向に移動させるように作用する。
さらに、開閉部材２４０は、捩られていた状態から元の状態に復元しようとして、半割杆２１２ａと半割杆２１２ｂとをおよび半割杆２１４ａと半割杆２１４ｂとを円周方向（Ｏ３およびＯ４方向（図３２図示））に引き離すように作用する。
作動部材２１８を構成する第１の作動片２３０と第２の作動片２３２は、平面の状態から山折り状態に変わる。
そして、開閉部材２４０は、第１の綴杆２１２と第２の綴杆２１４とを開いた状態にしたとき、第１の作動片２３０の突き合わせ縁２３０ａと第２の作動片２３２の突き合わせ縁２３２ａとが山折り状態、すなわち、保持部材２１６の被綴じ物載置部２２２の内側面に近づいた状態に保持するように作用する。
【００５７】
第１の綴杆２１２は、略円環状となるように、半円弧状の半割杆２１２ａと半割杆２１２ｂとから構成され、第２の綴杆２１４は、略円環状となるように、半円弧状の半割杆２１４ａと半割杆２１４ｂとから構成されている。そして、用紙Ｐに予め穿設された綴じ孔に挿通して、用紙Ｐを綴じることができるように、半割杆２１２ａおよび半割杆２１２ｂと、半割杆２１４ａと半割杆２１４ｂの先端、すなわち第１の綴杆２１２および第２の綴杆２１４の頂部において、綴杆係止部２６０が形成されている。
第１の綴杆２１２を構成する半割杆２１２ａと半割杆２１２ｂは、半割杆２１２ａの綴杆係止部２６０と、半割杆２１２ｂの綴杆係止部２６０とを係止することにより、環状に係合される。
また、第２の綴杆２１４を構成する半割杆２１２ｂと半割杆２１４ｂとは、半割杆２１２ｂの綴杆係止部２６０と半割杆２１４ｂの綴杆係止部２６０とを係止することにより、環状に係合される。
【００５８】
第１の綴杆２１２と第２の綴杆２１４とは、それぞれの基部が第１の作動片２３０と第２の作動片２３２に固着された部分（４箇所）を通る軸Ｙ１，Ｙ２および軸Ｘ１，Ｘ２（図２９及び図３２図示）を含む平面ＰＸＹと垂直な平面を構成するように、第１の作動片２３０と第２の作動片２３２より立設されている。そして、第１の綴杆２１２の軸Ｚ１（図３７図示）が構成する円形面と第２の綴杆２１４の軸Ｚ２（図３７図示）が構成する円形面とは、平行で、且つ、第１の綴杆２１２と第２の綴杆２１４が第１の作動片２３０と第２の作動片２３２と固着された部位を通る平面ＰＸＹと垂直となるように構成されている。
【００５９】
そして、第１の綴杆２１２と第２の綴杆２１４とは、同一方向に向けて、その綴杆係止部２６０を指で外すことができるように構成されている。
第１の綴杆２１２を構成する半割杆２１２ａの先端に形成された綴杆係止部２６０を構成する先端の凸部２６２ａとその凸部２６２ａに続く凹部２６２ｂと、半割杆２１２ｂの綴杆係止部２６０を構成する先端の凸部２６４ａとその先端の凸部２６４ａに続く凹部２６４ｂとは、第１の綴杆２１２を閉じたとき係合するように逆方向に向けて突き出しあるいは凹み形成されている。凸部２６２ａと凸部２６４ａとは、それぞれ先端から内側に向けて傾斜縁を備えており、すべりながら、第１の綴杆２１２および第２の綴杆２１４を開閉することができるように形成されている。
また、第２の綴杆２１４を構成する半割杆２１４ａの先端に形成された綴杆係止部２６０を構成する凸部２６６ａとその凸部２６６ａに続く凹部２６６ｂと、半割杆２１４ｂの綴杆係止部２６０を構成する先端の凸部２６８ａとその先端の凸部２６８ａに続く凹部２６８ｂとは、第２の綴杆２１４を閉じたとき係合するように逆方向に向けて突き出しあるいは凹み形成されている。
また、半割杆２１２ａの綴杆係止部２６０を構成する凸部２６２ａと半割杆２１４ａの綴杆係止部２６０を構成する凸部２６６ａとは、同一方向に向けて突き出し設けられている。
また、半割杆２１２ｂの綴杆係止部２６０を構成する凹部２６４ｂと半割杆２１４ｂの綴杆係止部２６０を構成する凹部２６８ｂとは、同一方向に向けて凹み形成されている。
【００６０】
したがって、第１の綴杆２１２の綴杆係止部２６０を、第１の綴杆２１２の頂部を指でねじることにより外すことができ、第１の綴杆２１２の綴杆係止部２６０を指で外すと、第１の作動片２３０と第２の作動片２３２とが、開閉部材２４０が元の状態に戻ろうとする力、すなわち伸展しようとする力が働くことにより、第１の作動片２３０と第２の作動片２３２とが逆方向に移動する。そして、捩られていた開閉部材２４０の復元力により、第２の綴杆２１４を構成する半割杆２１４ａの凸部２６６ａと半割杆２１４ｂの凸部２６８ａとを引き離す方向に作用して、第１の綴杆２１２の半割杆２１２ａの凸部２６２ａと半割杆２１２ｂの凸部２６４ａとを引き離す方向に作用するとともに、第２の綴杆２１４を構成する半割杆２１４ａの凸部２６６ａと半割杆２１４ｂの凸部２６８ａとを引き離すように作用する。
【００６１】
このように、この実施の形態においては、第１の綴杆２１２および第２の綴杆２１４の頂部を指でねじることにより、第１の綴杆２１２の半割杆２１２ａおよび半割杆２１２ｂの綴杆係止部２６０と、第２の綴杆２１４の半割杆２１４ａおよび半割杆２１４ｂの綴杆係止部２６０を外すことができる。
【００６２】
綴具２１０を表紙Ａに取り付けるには、保持壁２２４ａおよび保持壁２２４ｂの下端縁を接合して取付孔２２０，２２０にリベットまたはボルトナットにより取り付ければよい。
また、前記実施の形態においては、第１の綴杆２１２と第２の綴杆２１４といったように、２穴タイプの綴具について説明したが、綴杆を増やした多穴タイプ、例えば、３穴、４穴、２０穴、２６穴、３０穴といった多くの綴杆を備えた綴具とすることができる。
【００６３】
次に、図２６ないし図４６において示された綴具の変更例について、主として図４７ないし図５７に基づいて説明する。
この変更例は、保持部材２１６及び該保持部材２１６に開閉部材２４０が固定されるように構成されている点において変更されているのみで、その他の構成は同じである。
したがって、図２６ないし図４６の図において変更されている部位を示す図を追加して説明するのみで、その余は図２６ないし図４６に示す図を準用し、符号もそのまま適用する。
【００６４】
図４７は、閉じた状態における綴具の底面図であり、図４８は、閉じた状態における綴り具の要部を示す斜視図解図であり、図４９は、閉じた状態における綴り具の要部を示す斜視図解図である。
図５０は、保持部材の底面図であり、図５１は、保持部材の左側面図であり、図５２は、図５０に示すＥ−Ｅ断面図であり、図５３は、保持部材の右側面図であり、図５４は、図５１に示すＦ−Ｆ断面図であり、図５５は、図５２に示すＧ−Ｇ断面図である。
図５６は、開閉部材の正面図解図であり、図５７は、開閉部材の側面図解図である。
【００６５】
この綴具２１０は、保持部材２１６、作動部材２１８及び開閉部材２４０を備える。
保持部材２１６は、開閉部材２４０の係止部２５０及び係止部２５２の先端近傍において、保持部材２１６の保持壁２２４ａ及び保持壁２２４ｂに、保持壁２２４ａ及び保持壁２２４ｂを内側に切り起こされ、移動規制部２２４ｇ及び移動規制部２２４ｈが形成されている。
移動規制部２２４ｇ及び移動規制部２２４ｈは、略方形で、保持壁２２４ａ及び保持壁２２４ｂと略９０°の角度を有して内側に向けて突設されている。
【００６６】
作動部材２１８を作動させる開閉部材２４０は、第１の作動片２３０及び第２の作動片２３２を回動自在に固定する枢軸２３８に巻装され、開閉部材２４０の係止部２５０は、第１の作動片２３０の係止部２７８ａに係止され、且つ開閉部材２４０の係止部２５２は第２の作動片２３２の係止部２７８ｂに係止される。
そして、開閉部材２４０が第１の作動片２３０及び第２の作動片２３２に係止された状態において、開閉部材２４０の係止部２５０及び係止部２５２の先端が保持部材２１６の保持壁２２４ａ及び保持壁２２４ｂの下端縁側に向けて折り曲げられて、移動規制部２５６及び移動規制部２５８が形成される。
【００６７】
開閉部材２４０の移動規制部２５６及び開閉部材２４０の移動規制部２５８は、保持部材２１６の移動規制部２２４ｇ及び移動規制部２２４ｈの近傍まで延びた係止部２５０及び係止部２５２の先端において、略９０°の角度を有して折り曲げられ、保持部材２１６の移動規制部２２４ｇの下側面（図４７において）及び保持部材２１６の移動規制部２２４ｈの上側面（図４７において）と当接するように構成されている。
このように、開閉部材２４０の係止部２５０は、第１の作動片２３０の係止部２７８ａと係止され、且つその先端の移動規制部２５６が保持部材２１６の移動規制部２２４ｇと当接するとともに、開閉部材２４０の係止部２５２は、第２の作動片２３２の係止部２７８ｂと係止され、且つその先端の移動規制部２５８が保持部材２１６の移動規制部２２４ｈと当接する。そのために、第１の綴杆２１２及び第２の綴杆２１４を開閉するとき、第１の作動片２３０及び第２の作動片２３２は枢軸２３８の長手方向にスライドするように構成されているが、第１の作動片２３０は枢軸片２３４ａが枢軸片２３６ａに近付く方向（図４７において下方向）及び第２の作動片２３２は枢軸片２３６ａが枢軸片２３４ａに近付く方向（図４７において上方向）に向けてのスライドの妨げとなることがない。そして、移動規制部２２４ｇ及び移動規制部２２４ｈによって、作動部材２１８及び枢軸２３８の保持部材２１６の長手方向への移動は規制され、第１の作動片２３０の上方への移動及び第２の作動片２３２の下方への移動は規制されて、保持部材２１６、第１の作動片２３０、第２の作動片２３２及び枢軸２３８を金属製としても、殆ど音をたてることがなくなる。
【００６８】
【発明の効果】
この発明によれば、綴具の綴杆の頂部を手で操作することにより、比較的容易に開閉することができる綴具を提供することができる。
【図面の簡単な説明】
【図１】本発明にかかる綴具の一例を示す斜視図である。
【図２】閉じた状態における綴具の平面図である。
【図３】閉じた状態における綴具の底面図である。
【図４】閉じた状態における綴具の横断面図である。
【図５】閉じた状態における綴具の側面図である。
【図６】開いた状態における綴具の横断面図である。
【図７】閉じた状態における綴杆と作動部材を示す平面図解図である。
【図８】閉じた状態における綴杆の係止部近傍を示す平面図解図である。
【図９】開いた状態における綴杆の半割杆の先端近傍の平面図解図である。
【図１０】開閉部材の正面図解図である。
【図１１】開閉部材の側面図解図である。
【図１２】第２の作動片の右側面図解図である。
【図１３】第２の作動片の平面図解図である。
【図１４】第２の作動片の正面図解図である。
【図１５】第２の作動片の左側面図解図である。
【図１６】第２の作動片の底面図解図である。
【図１７】第１の作動片の平面図解図である。
【図１８】第１の作動片の正面図解図である。
【図１９】第１の作動片と第２の作動片とを嵌合させる方法を示す図解図である。
【図２０】本発明にかかる別の実施の形態である綴具の閉じた状態における平面図解図である。
【図２１】本発明にかかる別の実施の形態である綴具の閉じた状態における底面図解図である。
【図２２】本発明にかかる別の実施の形態である綴具の閉じた状態における側面図解図である。
【図２３】作動部材の構成を示す図解図であり、（Ａ）は第２の作動片の平面図解図であり、（Ｂ）は第１の作動片の平面図解図である。
【図２４】作動部材の構成を示す図解図であり、（Ａ）は第１の作動片の底面図解図であり、（Ｂ）は第２の作動片の底面図解図である。
【図２５】開閉部材を示す図であり、（Ａ）はその平面図解図、（Ｂ）はその側面図解図である。
【図２６】本発明にかかる別の実施の形態である綴具を示す斜視図である。
【図２７】閉じた状態における綴具の平面図である。
【図２８】閉じた状態における綴具の底面図である。
【図２９】閉じた状態における綴具の横断面図である。
【図３０】閉じた状態における綴具の側面図である。
【図３１】開いた状態における綴具の横断面図である。
【図３２】閉じた状態における綴杆と作動部材を示す平面図解図である。
【図３３】閉じた状態における綴杆の係止部近傍を示す平面図解図である。
【図３４】開いた状態における綴杆の半割杆の先端近傍の平面図解図である。
【図３５】開閉部材の正面図解図である。
【図３６】開閉部材の側面図解図である。
【図３７】第２の作動片の左側面図解図である。
【図３８】綴杆及び作動部材を示す図であり、（Ａ）は第２の作動片等の平面図解図であり、（Ｂ）は第１の作動片等の平面図解図である。
【図３９】綴杆及び作動部材を示す図であり、（Ａ）は第２の作動片等の正面図解図であり、（Ｂ）は第１の作動片等の正面図解図である。
【図４０】綴杆及び作動部材を示す図であり、（Ａ）は第２の作動片等の右側面図解図であり、（Ｂ）は第１の作動片等の左側面図解図である。
【図４１】綴杆及び作動部材を示す図であり、（Ａ）は第１の作動片の底面図解図であり、（Ｂ）は第２の作動片の底面図解図である。
【図４２】第２の作動片を示す図３８図示Ｂ−Ｂ断面図である。
【図４３】第２の作動片を示す図３８図示Ｃ−Ｃ断面図である。
【図４４】綴具を組み立てる方法を示す図解図である。
【図４５】綴具を組み立てる方法を示す図解図である。
【図４６】抜け止め具の正面図解図である。
【図４７】閉じた状態における綴具の底面図である。
【図４８】閉じた状態における綴り具の要部を示す斜視図解図である。
【図４９】閉じた状態における綴り具の要部を示す斜視図解図である。
【図５０】保持部材の底面図である。
【図５１】保持部材の右側面図である。
【図５２】図５０に示すＥ−Ｅ断面図である。
【図５３】保持部材の左側面図である。
【図５４】図５１に示すＦ−Ｆ断面図である。
【図５５】図５２に示すＧ−Ｇ断面図である。
【図５６】開閉部材の正面図解図である。
【図５７】開閉部材の側面図解図である。
【符号の説明】
Ａ  表紙
Ｐ  用紙
１０，１１０，２１０  綴具
１２，１１２，２１２  第１の綴杆
１２ａ，１２ｂ，１１２ａ，１１２ｂ，２１２ａ，２１２ｂ  半割杆
１４，２１４  第２の綴杆
１４ａ，１４ｂ，２１４ａ，２１４ｂ  半割杆
１６，２１６  保持部材
１８，２１８  作動部材
２０，２２０  取付孔
２２，２２２  被綴じ物載置部
２４ａ，２４ｂ，２２４ａ，２２４ｂ  保持壁
２４ｃ，２４ｄ，２２４ｃ，２２４ｄ  保持用凸部
２４ｅ，２４ｆ  保持用穴部
２６，２２６  第１の貫通孔
２８，２２８  第２の貫通孔
３０，１３０，２３０  第１の作動片
３０ａ，１３０ａ，２３０ａ  突き合わせ縁
３０ｂ，１３０ｂ，２３０ｂ  外側縁
３０ｃ  保持用凸部
３２，１３２，２３２  第２の作動片
３２ａ，１３２ａ，２３２ａ  突き合わせ縁
３２ｂ，２３２ｂ  外側縁
３２ｃ  保持用凸部
３４ａ，３４ｂ，３４ｃ  円筒状摺動部
３６ａ，３６ｂ，３６ｃ  円筒状摺動部
３８，１３８，２３８  枢軸
４０，１４０，２４０  開閉部材
４２，１４２  空隙部
４４，１４４，２４４  開閉部材用空隙部
５０  係止部
５２  連結係止部
５４ａ，５４ｂ，２５４  圧縮バネ部
５６ａ，５６ｂ  係止部
６０，１６０，２６０  綴杆係止部
６２ａ，２６２ａ  凸部
６２ｂ，２６２ｂ  凹部
６４ａ，２６４ａ  凸部
６４ｂ，２６５ｂ  凹部
６６ａ，２６６ａ  凸部
６６ｂ，２６６ｂ  凹部
６８ａ，２６８ａ  凸部
６８ｂ，２６８ｂ  凹部
１１３  第２の綴杆
１１３ａ、１１３ｂ  半割杆
１１４  第３の綴杆
１１４ａ，１１４ｂ  半割杆
１１５  第４の綴杆
１１５ａ，１１５ｂ  半割杆
１３４ａ，１３４ｂ，１３４ｃ，１３４ｄ，１３４ｅ，１３４ｆ  円筒状摺動部
１３６ａ，１３６ｂ，１３６ｃ，１３６ｄ，１３６ｅ，１３６ｆ  円筒状摺動部
１５２  円筒状コイル部
１５４，１５６  係止部
２２４ｇ，２２４ｈ  保持部材の移動規制部
２３４ａ，２３４ｂ  枢軸片
２３６ａ，２３６ｂ  枢軸片
２３４ｃ，２３４ｄ  枢軸孔
２３６ｃ，２３６ｄ  枢軸孔
２４６  抜け止め具
２５０  係止部
２５２  係止部
２５６  開閉部材の移動規制部
２５８  開閉部材の移動規制部
２７０  枢軸受け
２７０ａ  半円弧状凹部
２７２  枢軸受け
２７２ａ  半円弧状凹部
２７４  抜け止め用空隙部
２７６  抜け止め用空隙部
２７８ａ，２７８ｂ  係止部
２８０  枢軸貫挿孔
【図１】
2005040952.tif 000003
【図２】
2005040952.tif 000004
【図３】
2005040952.tif 000005
【図４】
2005040952.tif 000006
【図５】
2005040952.tif 000007
【図６】
2005040952.tif 000008
【図７】
2005040952.tif 000009
【図８】
2005040952.tif 000010
【図９】
2005040952.tif 000011
【図１０】
2005040952.tif 000012
【図１１】
2005040952.tif 000013
【図１２】
2005040952.tif 000014
【図１３】
2005040952.tif 000015
【図１４】
2005040952.tif 000016
【図１５】
2005040952.tif 000017
【図１６】
2005040952.tif 000018
【図１７】
2005040952.tif 000019
【図１８】
2005040952.tif 000020
【図１９】
2005040952.tif 000021
【図２０】
2005040952.tif 000022
【図２１】
2005040952.tif 000023
【図２２】
2005040952.tif 000024
【図２３】
2005040952.tif 000025
【図２４】
2005040952.tif 000026
【図２５】
2005040952.tif 000027
【図２６】
2005040952.tif 000028
【図２７】
2005040952.tif 000029
【図２８】
2005040952.tif 000030
【図２９】
2005040952.tif 000031
【図３０】
2005040952.tif 000032
【図３１】
2005040952.tif 000033
【図３２】
2005040952.tif 000034
【図３３】
2005040952.tif 000035
【図３４】
2005040952.tif 000036
【図３５】
2005040952.tif 000037
【図３６】
2005040952.tif 000038
【図３７】
2005040952.tif 000039
【図３８】
2005040952.tif 000040
【図３９】
2005040952.tif 000041
【図４０】
2005040952.tif 000042
【図４１】
2005040952.tif 000043
【図４２】
2005040952.tif 000044
【図４３】
2005040952.tif 000045
【図４４】
2005040952.tif 000046
【図４５】
2005040952.tif 000047
【図４６】
2005040952.tif 000048
【図４７】
2005040952.tif 000049
【図４８】
2005040952.tif 000050
【図４９】
2005040952.tif 000051
【図５０】
2005040952.tif 000052
【図５１】
2005040952.tif 000053
【図５２】
2005040952.tif 000054
【図５３】
2005040952.tif 000055
【図５４】
2005040952.tif 000056
【図５５】
2005040952.tif 000057
【図５６】
2005040952.tif 000058
【図５７】
2005040952.tif 000059
【手続補正書】
【提出日】平成16年9月9日(2004.9.9)
【手続補正１】
【補正対象書類名】明細書
【補正対象項目名】００１２
【補正方法】変更
【補正の内容】
【００１２】
保持部材１６は、第１の綴杆１２と第２の綴杆１４とを所定の間隔をおいて設けることができる長さを備える平面略長方形で、その両端、すなわち表紙Ａに取り付ける取付孔２０近傍においては、平面略半円弧状に形成されている。
保持部材１６は、第１の綴杆１２および第２の綴杆１４を固定する部位より幅方向における外側近傍から内側に向かって、その中央が膨出した断面略半円弧状の被綴じ物載置部２２を備え、且つ、被綴じ物載置部２２の内側には空間を備え、その空間に作動部材１８等を収容するように構成されている。
保持部材１６の被綴じ物載置部２２の両端には、その長手方向に略その一端から他端に亘って、作動部材１８を可動自在に保持する保持壁が設けられている。この実施の形態においては、保持部材１６の長手方向において、第１の綴杆１２および第２の綴杆１４のそれぞれの外側近傍より略全体において垂下されるように、保持壁２４ａおよび保持壁２４ｂが連設されている。さらに、保持壁２４ａおよび保持壁２４ｂの下端縁より内側に向けて、適宜な間隔をおいて、保持用凸部２４ｃおよび保持用凸部２４ｄが突設されており、第１の作動片３０の外側縁３０ｂおよび第２の作動片３２の外側縁３２ｂの近傍を保持するように形成されている。
更に、保持壁２４ａの保持用凸部２４ｃの上部及び保持壁２４ｂの保持用凸部２４ｄの上部には、保持用穴部２４ｅ及び保持用穴部２４ｆが穿設され、第１の作動片３０の外側縁３０ｂに突設された保持用凸部３０ｃ及び第２の作動片３２の外側縁３２ｂに穿設された保持用凸部３２ｃを該保持用穴部２４ｅ及び保持用穴部２４ｆに嵌挿するように形成されている。
したがって、この保持壁２４ａおよび保持壁２４ｂと被綴じ物載置部２２によって囲繞された空間内の最適な位置に、後に詳しく説明する作動部材１８等が移動自在に収容される。


【手続補正２】
【補正対象書類名】明細書
【補正対象項目名】００１８
【補正方法】変更
【補正の内容】
【００１８】
そして、第１の作動片３０および第２の作動片３２は、外側から力が加わらないときには、第１の作動片３０と第２の作動片３２とが平面の状態、すなわち保持部材１６の被綴じ物載置部２２の内面より離れた方向（突き合わせ縁３０ａおよび突き合わせ縁３２ａが、図４及び図７図示半割杆１２ａ，半割杆１２ｂ，半割杆１４ａ及び半割杆１４ｂのそれぞれの基部を通る平面ＰXYと略平行面）に向いて、あるいはまた、山折り、すなわち保持部材１６の被綴じ物載置部２２の内面に近づいた方向（突き合わせ縁３０ａおよび突き合わせ縁３２ａが図５及び図７図示平面ＰXYより上側）に向いて、その平面の状態または山折りの状態を維持するように、保持部材１６の内側空間部に内設されている。


【手続補正３】
【補正対象書類名】明細書
【補正対象項目名】００２０
【補正方法】変更
【補正の内容】
【００２０】
そして、前記第１の綴杆１２および第２の綴杆１４が閉じるときには、図４に示すように、作動部材１８を構成する第１の作動片３０と第２の作動片３２とは、その突き合わせ縁３０ａおよび突き合わせ縁３２ａが保持部材１６の内面（被綴じ物載置部２２の内面）より離れた方向で水平面上に並置される方向に向いて（すなわち平面の状態）、第１の作動片３０の突き合わせ縁３０ａと第２の作動片３２の突き合わせ縁３２ａとが突き合わされた状態において保持されるとともに、前記第１の綴杆１２および第２の綴杆１４を開くときには、図６に示すように、作動部材１８を構成する第１の作動片３０と第２の作動片３２とは、保持部材１６の内面（被綴じ物載置部２２の内面）に近づいた方向に向いて（すなわち山折り状態）、第２の作動片３２の突き合わせ縁３２ａとが突き合わされた状態に保持されるように保持部材１６内の空間において固定される。
また、作動部材１８を構成する第１の作動片３０と第２の作動片３２とは、保持部材１６の被綴じ物載置部２２の内面に近づいた方向、すなわち山折りの状態においては、第１の作動片３０と第２の作動片３２の長手方向、すなわち第１の作動片３０と第２の作動片３２に固着された半割杆１２ａと半割杆１４ａとを結ぶ線（Ｘ1（図３及び図７図示））および半割杆１２ｂと半割杆１４ｂとを結ぶ線（Ｘ2（図３及び図７図示））と平行な方向に、第１の作動片３０と第２の作動片３２とを移動させることができるように摺動自在に内設されている。
第１の作動片３０と第２の作動片３２には、第１の綴杆１２と第２の綴杆１４とを開閉方向に変化させる開閉部材４０が設けられている。


【手続補正４】
【補正対象書類名】明細書
【補正対象項目名】００２４
【補正方法】変更
【補正の内容】
【００２４】
そして、作動部材１８を構成する第１の作動片３０と第２の作動片３２とは、第１の綴杆１２と第２の綴杆１４を開き始めたとき、すなわち、第１の綴杆１２と第２の綴杆１４のそれぞれの綴杆係止部６０を指で外したとき、開閉部材４０が元の状態に戻ろうとして、すなわち、圧縮されていた開閉部材４０が復元方向に作用し、第１の綴杆１２の半割杆１２ａと半割杆１２ｂとが離れる方向（半割杆１２ａはＯ1方向で、半割杆１２ｂはＯ2方向（図７図示））および第２の綴杆１４の半割杆１４ａと半割杆１４ｂとが離れる方向（半割杆１４ａはＯ1方向で、半割杆１４ｂはＯ2方向（図７図示））に移動するように作用して、第１の作動片３０と第２の作動片３２とをそれぞれ逆方向に移動させるように作用する。
すなわち、第１の作動片３０は、綴杆係止部６０を外す方向（Ｏ1方向）に移動し、第２の作動片３２は、綴杆係止部６０を外す方向（Ｏ2方向）に移動する。
さらに、開閉部材４０は、捩られていた状態から元の状態に復元しようとして、半割杆１２ａと半割杆１２ｂとをおよび半割杆１４ａと半割杆１４ｂとを円周方向（Ｙ1およびＹ2方向（図７図示））に引き離すように作用する。
作動部材１８を構成する第１の作動片３０と第２の作動片３２は、平面の状態から山折り状態に変わる。
そして、開閉部材４０は、第１の綴杆１２と第２の綴杆１４とを開いた状態にしたとき、第１の作動片３０の突き合わせ縁３０ａと第２の作動片３２の突き合わせ縁３２ａとが山折り状態、すなわち、保持部材１６の被綴じ物載置部２２の内側面に近づいた状態に保持するように作用する。


【手続補正５】
【補正対象書類名】明細書
【補正対象項目名】００２５
【補正方法】変更
【補正の内容】
【００２５】
第１の綴杆１２は、略円環状となるように、半円弧状の半割杆１２ａと半割杆１２ｂとから構成され、第２の綴杆１４は、略円環状となるように、半円弧状の半割杆１４ａと半割杆１４ｂとから構成されている。そして、用紙Ｐに予め穿設された綴じ孔に挿通して、用紙Ｐを綴じることができるように、半割杆１２ａおよび半割杆１２ｂと、半割杆１４ａと半割杆１４ｂの先端、すなわち第１の綴杆１２および第２の綴杆１４の頂部において、綴杆係止部６０が形成されている。
第１の綴杆１２を構成する半割杆１２ａと半割杆１２ｂは、半割杆１２ａの綴杆係止部６０と、半割杆１２ｂの綴杆係止部６０とを係止することにより、環状に係合される。
また、第２の綴杆１４を構成する半割杆１４ａと半割杆１４ｂとは、半割杆１２ｂの綴杆係止部６０と半割杆１４ｂの綴杆係止部６０とを係止することにより、環状に係合される。


【手続補正６】
【補正対象書類名】明細書
【補正対象項目名】００２６
【補正方法】変更
【補正の内容】
【００２６】
第１の綴杆１２と第２の綴杆１４とは、それぞれの基部が第１の作動片３０と第２の作動片３２に固着された部分（４箇所）を通る軸Ｙ1，Ｙ2および軸Ｘ1，Ｘ2（図４及び図７図示）を含む平面ＰXYと垂直な平面を構成するように、第１の作動片３０と第２の作動片３２より立設されている。そして、第１の綴杆１２の軸Ｚ1（図１２図示）が構成する円形面と第２の綴杆１４の軸Ｚ2（図１２図示）が構成する円形面とは、平行で、且つ、第１の綴杆１２と第２の綴杆１４が第１の作動片３０と第２の作動片３２と固着された部位を通る平面ＰXYと垂直となるように構成されている。


【手続補正７】
【補正対象書類名】明細書
【補正対象項目名】００３１
【補正方法】変更
【補正の内容】
【００３１】
次に、本発明にかかる別の実施の形態について、図２０ないし図２５に基づいて説明する。
この実施の形態の綴具１１０は、前記実施の形態の綴具１０と略同様の構成であるが、主として、綴杆の数が増加したことに伴う、作動部材の構成および開閉部材の構成が異なるので、それらを中心に以下説明する。


【手続補正８】
【補正対象書類名】明細書
【補正対象項目名】００３３
【補正方法】変更
【補正の内容】
【００３３】
前記半割杆１１２ａ、半割杆１１３ａ、半割杆１１４ａ、半割杆１１５ａの基部が固定された第１の作動片１３０と、半割杆１１２ｂ、半割杆１１３ｂ、半割杆１１４ｂ、半割杆１１５ｂの基部が固定された第２の作動片１３２は、前記実施の形態の第１の作動片３０および第２の作動片３２と比して長く延びて形成され、第１の綴杆１１２と第２の綴杆１１３と第３の綴杆１１４と第４の綴杆１１５の間を、日本工業規格に規定された適宜な間隔をおいて立設するように構成されている。


【手続補正９】
【補正対象書類名】明細書
【補正対象項目名】００４１
【補正方法】変更
【補正の内容】
【００４１】
保持部材２１６は、第１の綴杆２１２と第２の綴杆２１４とを所定の間隔をおいて設けることができる長さを備える平面略長方形で、その両端、すなわち表紙Ａに取り付ける取付孔２２０近傍においては、平面略半円弧状に形成されている。
保持部材２１６は、第１の綴杆２１２および第２の綴杆２１４を固定する部位より幅方向における外側近傍から内側に向かって、その中央が膨出した断面略半円弧状の被綴じ物載置部２２２を備え、且つ、被綴じ物載置部２２２の内側には空間を備え、その空間に作動部材２１８等を収容するように構成されている。
保持部材２１６の被綴じ物載置部２２２の両端には、その長手方向に略その一端から他端に亘って、作動部材２１８を可動自在に保持する保持壁が設けられている。この実施の形態においては、保持部材２１６の長手方向において、第１の綴杆２１２および第２の綴杆２１４のそれぞれの外側近傍より略全体において垂下されるように、保持壁２２４ａおよび保持壁２２４ｂが連設されている。さらに、保持壁２２４ａおよび保持壁２２４ｂの下端縁より内側に向けて、適宜な間隔をおいて、保持用凸部２２４ｃおよび保持用凸部２２４ｄが突設されており、第１の作動片２３０の外側縁２３０ｂおよび第２の作動片２３２の外側縁２３２ｂの近傍を保持するように形成されている。
したがって、この保持壁２２４ａおよび保持壁２２４ｂと被綴じ物載置部２２２によって囲繞された空間内の最適な位置に、後に詳しく説明する作動部材２１８等が移動自在に収容される。


【手続補正１０】
【補正対象書類名】明細書
【補正対象項目名】００４４
【補正方法】変更
【補正の内容】
【００４４】
一方の作動片、すなわち第１の作動片２３０の突き合わせ縁２３０ａの両端、すなわち、突き合わせ縁２３０ａと直交する一方端及び該一方端と対向する他方端には、突き合わせ縁２３０ａと直交するように、突き合わせ縁２３０ａの一方端及び他方端を折り曲げて、枢軸部を構成する（枢軸２３８の枢支部を構成する）枢軸片２３４ａ，２３４ｂが垂直方向に突設されている。
一方の枢軸片２３４ａと他方の枢軸片２３４ｂとは、突き合わせ縁２３０ａを挟んで平行に向き合うように形成され、その略中央には枢軸部を構成する枢軸２３８を貫挿する枢軸孔２３４ｃ，２３４ｄが貫設されている。
他方の作動片、すなわち第２の作動片２３２の突き合わせ縁２３２ａの両端、すなわち、突き合わせ縁２３２ａと直交する一方端及び該一方端と対向する他方端には、突き合わせ縁２３２ａと直交するように、突き合わせ縁２３０ａの一方端及び他方端を折り曲げて、枢軸部を構成する（枢軸２３８の枢支部を構成する）枢軸片２３６ａ，２３６ｂが垂直方向に突設されている。
一方の枢軸片２３６ａと他方の枢軸片２３６ｂとは、突き合わせ縁２３２ａを挟んで平行に向き合うように形成され、その略中央には枢軸２３８を貫挿する枢軸孔２３６ｃ，２３６ｄが貫設されている。
第１の作動片２３０と第２の作動片２３２とが並設され、第１の作動片２３０の枢軸片２３４ａと第２の作動片２３２の枢軸片２３６ａとがそれぞれの間に間隔をあけて略平行に重なり合い、且つ、第１の作動片２３０の枢軸片２３４ｂと第２の作動片２３２の枢軸片２３６ｂとがそれぞれの間に間隔をあけて略平行に重なり合うように保持部材２１６内に内設され、枢軸孔２３６ｃ及び２３６ｄは、保持部材２１６の長手中心線上に位置する。


【手続補正１１】
【補正対象書類名】明細書
【補正対象項目名】００４５
【補正方法】変更
【補正の内容】
【００４５】
また、第１の作動片２３０と第２の作動片２３２の略中央には、開閉部材２４０が嵌挿される開閉部材用空隙部２４４が形成されている。
前記開閉部材用空隙部２４４には、一方の作動片、すなわち第１の作動片２３０の枢軸受け２７０の内端が臨み、且つ前記枢軸受け２７０の内端と対向して、他方の作動片、すなわち第２の作動片２３２の枢軸受け２７２の内端が臨むように形成されている。
第１の作動片２３０の枢軸受け２７０と第２の作動片２３２の枢軸受け２７２とは、第１の作動片２３０及び第２の作動片２３２がその裏面側に向けて折曲され、その先端に枢軸２３８を嵌装する半円弧状凹部２７０ａ及び半円弧状凹部２７２ａが穿設されている。


【手続補正１２】
【補正対象書類名】明細書
【補正対象項目名】００５０
【補正方法】変更
【補正の内容】
【００５０】
そして、第１の作動片２３０および第２の作動片２３２は、外側から力が加わらないときには、第１の作動片２３０と第２の作動片２３２とが平面の状態、すなわち保持部材２１６の被綴じ物載置部２２２の内面より離れた方向（突き合わせ縁２３０ａおよび突き合わせ縁２３２ａが、図２９及び図３２図示半割杆２１２ａ，半割杆２１２ｂ，半割杆２１４ａ及び半割杆２１４ｂの基部を通る平面ＰXYと略平行面）に向いて、あるいはまた、山折り、すなわち保持部材２１６の被綴じ物載置部２２２の内面に近づいた方向（突き合わせ縁２３０ａおよび突き合わせ縁２３２ａが図３２図示平面ＰXYより上側）に向いて、その平面の状態または山折りの状態を維持するように、保持部材２１６の内側空間部に内設されている。


【手続補正１３】
【補正対象書類名】明細書
【補正対象項目名】００５２
【補正方法】変更
【補正の内容】
【００５２】
そして、前記第１の綴杆２１２および第２の綴杆２１４が閉じるときには、図２９に示すように、作動部材２１８を構成する第１の作動片２３０と第２の作動片２３２とは、その突き合わせ縁２３０ａおよび突き合わせ縁２３２ａが保持部材２１６の内面（被綴じ物載置部２２２の内面）より離れた方向で水平面上に並置される方向に向いて（すなわち平面の状態）、第１の作動片２３０の突き合わせ縁２３０ａと第２の作動片２３２の突き合わせ縁２３２ａとが突き合わされた状態において保持されるとともに、前記第１の綴杆２１２および第２の綴杆２１４を開くときには、図３１に示すように、作動部材２１８を構成する第１の作動片２３０と第２の作動片２３２とは、保持部材２１６の内面（被綴じ物載置部２２２の内面）に近づいた方向に向いて（すなわち山折り状態）、第１の作動片２３０の突き合わせ縁２３０ａと第２の作動片２３２の突き合わせ縁２３２ａとが突き合わされた状態に保持されるように保持部材２１６内の空間において固定される。
また、作動部材２１８を構成する第１の作動片２３０と第２の作動片２３２とは、保持部材２１６の被綴じ物載置部２２２の内面に近づいた方向、すなわち山折りの状態においては、第１の作動片２３０と第２の作動片２３２の長手方向、すなわち第１の作動片２３０と第２の作動片２３２に固着された半割杆２１２ａと半割杆２１４ａとを結ぶ線（Ｘ1（図２８及び図３２図示））および半割杆２１２ｂと半割杆２１４ｂとを結ぶ線（Ｘ2（図２８及び図３２図示））と平行な方向に、第１の作動片２３０と第２の作動片２３２とを移動させることができるように摺動自在に内設されている。
第１の作動片２３０と第２の作動片２３２には、第１の綴杆２１２と第２の綴杆２１４とを開閉方向に変化させる開閉部材２４０が設けられている。


【手続補正１４】
【補正対象書類名】明細書
【補正対象項目名】００５６
【補正方法】変更
【補正の内容】
【００５６】
そして、作動部材２１８を構成する第１の作動片２３０と第２の作動片２３２とは、第１の綴杆２１２と第２の綴杆２１４を開き始めたとき、第１の綴杆２１２の半割杆２１２ａと半割杆２１２ｂとが離れる方向（半割杆２１２ａはＯ1方向で、半割杆２１２ｂはＯ2方向（図３２図示））および第２の綴杆２１４の半割杆２１４ａと半割杆２１４ｂとが離れる方向（半割杆２１４ａはＯ1方向で、半割杆２１４ｂはＯ2方向（図３２図示））に移動するように作用し、その後、第１の綴杆２１２と第２の綴杆２１４のそれぞれの綴杆係止部２６０を指で外したとき、開閉部材２４０が元の状態に戻ろうとして、すなわち、圧縮されていた開閉部材２４０が復元方向に作用して、第１の作動片２３０と第２の作動片２３２とをそれぞれ逆方向に移動させるように作用する。
さらに、開閉部材２４０は、捩られていた状態から元の状態に復元しようとして、半割杆２１２ａと半割杆２１２ｂとをおよび半割杆２１４ａと半割杆２１４ｂとを円周方向（Ｏ3およびＯ4方向（図３２図示））に引き離すように作用する。
作動部材２１８を構成する第１の作動片２３０と第２の作動片２３２は、平面の状態から山折り状態に変わる。
そして、開閉部材２４０は、第１の綴杆２１２と第２の綴杆２１４とを開いた状態にしたとき、第１の作動片２３０の突き合わせ縁２３０ａと第２の作動片２３２の突き合わせ縁２３２ａとが山折り状態、すなわち、保持部材２１６の被綴じ物載置部２２２の内側面に近づいた状態に保持するように作用する。


【手続補正１５】
【補正対象書類名】明細書
【補正対象項目名】００５８
【補正方法】変更
【補正の内容】
【００５８】
第１の綴杆２１２と第２の綴杆２１４とは、それぞれの基部が第１の作動片２３０と第２の作動片２３２に固着された部分（４箇所）を通る軸Ｙ1，Ｙ2および軸Ｘ1，Ｘ2（図２９及び図３２図示）を含む平面ＰXYと垂直な平面を構成するように、第１の作動片２３０と第２の作動片２３２より立設されている。そして、第１の綴杆２１２の軸Ｚ1（図３７図示）が構成する円形面と第２の綴杆２１４の軸Ｚ2（図３７図示）が構成する円形面とは、平行で、且つ、第１の綴杆２１２と第２の綴杆２１４が第１の作動片２３０と第２の作動片２３２と固着された部位を通る平面ＰXYと垂直となるように構成されている。


【手続補正１６】
【補正対象書類名】図面
【補正対象項目名】図１２
【補正方法】変更
【補正の内容】
【図１２】
2005040952.tif 000060